(57)【特許請求の範囲】
【請求項１】
水道管１の穿孔部２に取り付けられ閉栓コマ２２で止水された分水栓１０の下胴１０ｂ周囲に筒状の止水用部材３０を取り付け、その止水用部材３０は、その一端３１全周が水道管１の外周面に水密に接し他端３２が前記下胴１０ｂよりも高く立ち上がるとともに、その他端３２は開閉バルブ３６により開閉自在となっており、
上記止水用部材３０の他端３２にスピンドル支持具４０を取り付けて、そのスピンドル支持具４０に軸状のスピンドル４１を前記止水用部材３０の筒軸方向に進退自在に支持するとともに外側から進退操作可能とし、その他端３２は前記スピンドル支持具４０により常に水密に閉塞されるようになっており、
上記開閉バルブ３６を開放した後、上記止水用部材３０の他端３２から一端３１に向かって上記スピンドル４１の先端４１ａを進出させて、その先端４１ａを上記下胴１０ｂに係合させるとともにその係合状態でスピンドル４１を退行させて下胴１０ｂを水道管１の穿孔部２から取り外して前記開閉バルブ３６の他端３２側へ引き出した後、その開閉バルブ３６を閉鎖し、前記スピンドル支持具４０及びスピンドル４１を前記下胴１０ｂとともに止水用部材３０から取外し、
上記止水用部材３０の他端３２に同一の又は他のスピンドル支持具５０を取り付けて、そのスピンドル支持具５０に軸状のスピンドル５１を前記止水用部材３０の筒軸方向に進退自在に支持するとともに外側から進退操作可能とし、その他端３２は前記同一の又は他のスピンドル支持具５０により常に水密に閉塞されるようになっており、
上記スピンドル５１の先端５１ａに上記穿孔部２に嵌る止水プラグ５２を取り付けて、上記開閉バルブ３６を開放した後、上記止水用部材３０の他端３２から一端３１に向かってスピンドル５１の先端５１ａを進出させてその止水プラグ５２を上記穿孔部２に挿入して固定し、その止水プラグ５２を残して前記スピンドル５１を退行させて、前記止水用部材３０、開閉バルブ３６、スピンドル支持具５０及びスピンドル５１を水道管１から取外す分水栓の撤去方法。
【請求項２】
上記下胴１０ｂは上記水道管１の穿孔部２にねじ込まれて固定されており、上記スピンドル４１の先端４１ａは前記下胴１０ｂに対し、前記穿孔部２への下胴１０ｂのねじ込み方向に対する逆ねじで係合することを特徴とする請求項１に記載の分水栓の撤去方法。
【請求項３】
上記逆ねじは、上記下胴１０ｂに軸周り不動に固定した引き抜きプラグ３４に形成されており、上記スピンドル４１の先端４１ａと前記下胴１０ｂとの係合はその引き抜きプラグ３４を介して行うことを特徴とする請求項２に記載の分水栓の撤去方法。
【発明の詳細な説明】
【技術分野】
【０００１】
この発明は、水道管に設けられた分水栓を撤去、取替する方法に関するものである。
【背景技術】
【０００２】
水道管から各家庭や事業所等へ給水管を分岐させるために、分水栓が使用される。この分水栓は、例えば、特許文献１に記載のように、水道管を穿孔してその穿孔部に直接嵌め込まれて、あるいはねじ込まれて固定されるものがある。
【特許文献１】特開２００３−１４１８７号公報
【０００３】
分水栓が古くなったり、使用する容量が変化した場合など、別の場所に新しい分水栓を設けて給水ルートを新しい分水栓を経由するルートに切替える手法がよく用いられる。
また、近年、給水管の一部に介在する鉛製の管を他の素材からなる給水管に交換する機会が増えており、このような場合にも、給水ルートを新しい分水栓を経由するルートに切替える場合が多い。
【０００４】
このような事情で使われなくなった古い分水栓は、その取水口を止水コマ等で塞ぎその状態で放置される場合が多い。分水栓が係合される水道管の肉厚は非常に薄いので、その係合に係る接触面積は非常に小さい。したがって、使われなくなった分水栓が放置されると、その係合は経年による接触部分の素材の劣化や、外力の作用により緩むことがある。分水栓と水道管との係合が緩むと水漏れが発生するので、使わなくなった分水栓はできれば撤去することが望ましいといえる。
そこで、例えば、特許文献２及び３には、下胴と上胴とからなる既設の甲形分水栓を、水道管を断水させることなく、下胴のみ残してその他の部分（上胴等）を撤去する技術が開示されている。
【特許文献２】特開２００３−１７６８９６号公報
【特許文献３】特開２００３−３１４７７８号公報
【発明の開示】
【発明が解決しようとする課題】
【０００５】
しかし、上記特許文献２及び３のごとく、下胴のみを残して他を撤去しても、なお、上記係合の緩みによる漏水は生じ得るので、下胴も撤去することが望ましい。
【０００６】
古い下胴を撤去してその穿孔部を塞ぐためには、水道管を一時断水させてその下胴を穿孔部から取り外すとともにその穿孔部にしっかりとした止水栓（止水プラグ）を嵌めることを要する。しかし、断水は、その水道管による給水先である各家庭、事業所等への影響が大きいので、頻繁にできるものではない。
【０００７】
そこで、この発明は、水道管を断水させることなく、分水栓の下胴を撤去できるようにすることを課題とする。
【課題を解決するための手段】
【０００８】
上記の課題を解決するために、この発明は、水道管に取り付けられた分水栓の下胴周囲を覆う止水部材を設けて常にその下胴周囲を止水するとともに、その穿孔部からの下胴の取り外し、及びその穿孔部への止水プラグの挿入を外部から操作できるようにしたのである。
このようにすれば、水道管を断水させることなく、分水栓の下胴を撤去でき、また撤去後の穿孔部を止水することができる。
【発明の効果】
【０００９】
この発明は、以上の構成により、水道管を断水させることなく、分水栓の下胴を撤去でき、また撤去後の穿孔部を止水することができる。
【発明を実施するための最良の形態】
【００１０】
上記手段の実施形態として、以下の構成からなる分水栓の撤去方法を採用し得る。
すなわち、水道管の穿孔部に取り付けられ閉栓コマで止水された分水栓の下胴周囲に筒状の止水用部材を取り付け、その止水用部材は、その一端全周が水道管の外周面に水密に接し他端が前記下胴よりも高く立ち上がるとともに、その他端は開閉バルブにより開閉自在となっている。
【００１１】
まず、その止水用部材の他端にスピンドル支持具を取り付けて、そのスピンドル支持具に軸状のスピンドルを前記止水用部材の筒軸方向に進退自在に支持するとともに外側から進退操作可能とし、その他端は前記スピンドル支持具により常に水密に閉塞されるようになっている。
上記開閉バルブを開放した後、上記止水用部材の他端から一端に向かって上記スピンドルの先端を進出させて、その先端を上記下胴に係合させるとともにその係合状態でスピンドルを退行させて下胴を水道管の穿孔部から取り外して前記開閉バルブの他端側へ引き出した後、その開閉バルブを閉鎖し、前記スピンドル支持具及びスピンドルを前記下胴とともに止水用部材から取外す。
【００１２】
つぎに、上記止水用部材の他端に同一の又は他のスピンドル支持具を取り付けて、そのスピンドル支持具に軸状のスピンドルを前記止水用部材の筒軸方向に進退自在に支持するとともに外側から進退操作可能とし、その他端は前記同一の又は他のスピンドル支持具により常に水密に閉塞されるようになっている。
そのスピンドルの先端に上記穿孔部に嵌る止水プラグを取り付けて、上記開閉バルブを開放した後、上記止水用部材の他端から一端に向かってスピンドルの先端を進出させてその止水プラグを上記穿孔部に挿入して固定し、その止水プラグを残して前記スピンドルを退行させて、前記止水用部材、開閉バルブ、スピンドル支持具及びスピンドルを水道管から取外すようにしたものである。
【００１３】
このようにすれば、上記水道管に取り付けられた分水栓の下胴周囲は、止水用部材及びスピンドル支持具により止水され、その止水は、スピンドルを外部から操作している間も常に維持される。このため、開閉バルブを開けてスピンドルを進出させ、スピンドルを下胴に係合させた後に後退させて開閉バルブを閉じれば、水道管を断水させることなく、分水栓の下胴を穿孔部から撤去することができる。また、同じく、開閉バルブを開けて止水プラグ付きのスピンドルを進出させ、止水プラグを穿孔部に固定した後にその係合を解きスピンドルを後退させれば、水道管を断水させることなく、下胴撤去後の穿孔部を止水プラグにより止水することができる。
【００１４】
上記の構成において、下胴が上記水道管の穿孔部にねじ込まれて固定されている態様において、上記スピンドルの先端は前記下胴に対し、前記穿孔部への下胴のねじ込み方向に対する逆ねじで係合するようにした構成を採用し得る。
このようにすれば、下胴とスピンドル先端とを係合させる際にスピンドルを回転させる方向と、下胴を穿孔部から取り外す際にその下胴を回転させる方向とが同じ方向となる。このため、スピンドルを所定の方向へ回転することによりそのスピンドル先端は下胴に係合し、その係合後、続いてスピンドルを同方向に回転させることにより、その下胴を、穿孔部から取り外す方向へと回転させることができるので作業が容易である。
【００１５】
また、その下胴とスピンドル先端との係合は、下胴に取り付けた引き抜きプラグを介して行っても良い。引き抜きプラグは上記下胴に軸周り不動に固定され、その引き抜きプラグに上記逆ねじを形成する。
このようにすれば、スピンドル先端に係合可能な逆ねじを、下胴側に容易に設けることができる。
【実施例】
【００１６】
分水栓の取替、撤去方法について、図１乃至図１４に基づいて説明する。これは、水道管１の穿孔部２に取り付けられた下胴１０ｂと上胴１０ａとからなる甲形分水栓１０を撤去する場合に、その分水栓１０を止水している止水コマ１２を上胴１０ａから取り外した後、合成ゴム製の閉栓コマ２２を使用して閉栓し、下胴１０ｂのみ残して上胴１０ａを取り外す施工手順を示したのである。
【００１７】
（コマの取外し）
（１）分水栓１０よりナット１１を取外す（図１参照）。
（２）分水栓１０内にねじ込まれている止水コマ１２上部の角穴１２ａに、専用シャフト（図示せず）の下端部を嵌め込んで取付ける。次に、その専用シャフト上端部に設けた角部にハンドルを取付け、そのハンドルの操作により止水コマ１２を左回転させて約１０ｍｍ引上げる（図１に示す状態を参照）。このとき、止水コマ１２を引上げ過ぎると止水コマ１２が分水栓１０より外れて、水道管１内の水が噴出することがあるので注意する。
（３）その引き上げた止水コマ１２の上部に、図２（ｂ）に示すコマ回し１３の下端部１３ａを嵌めてセットし、その止水コマ１２に押さえナット１４を取付ける（図２（ａ）参照）。ただし、押さえナット１４は工具を使用せず、手締めにて取付けるようにする。
（４）分水栓１０に工具を使用してアダプタ１５をねじ込んで取付け、そのアダプタ１５に工具を使用して開閉バルブ１６をねじ込んで取付ける（図３参照）。このとき、開閉バルブ１６は必ず全開の状態で取付けるようにする。
（５）また、開閉バルブ１６の横取出口１６ａに工具を使用してコック付ナットを取付ける（同じく図３参照）。コック１６ｂは必ず全閉の状態で取付けるようにする。
（６）開閉バルブ１６に工具を使用してコマ取外し機（スピンドル支持具）１７を取付ける（図４参照）。コマ取外し機１７には、軸状のスピンドル１８がねじ込まれてその軸方向に進退自在に支持されており、外側から回転操作可能となっている。開閉バルブ１６とコマ取外し機１７とは水密が維持されて、スピンドル１８の位置にかかわらず、管内の水が外部に漏れないように閉塞されている。
（７）コマ取外し機１７に取り付けたスピンドル１８の先端１８ａを、前記コマ回し１３上部のねじ部１３ｂにねじ込んで取付ける（図４参照）。
（８）コマ取外し機１７のスピンドル１８に取り付けたハンドル１９を、図４に示す矢印のように左回転させてスピンドル１８を引き上げ（図５参照）、分水栓１０から前記コマ回し１３とともに止水コマ１２を取外す。止水コマ１２が分水栓１０より外れるとハンドル１９を回す際の抵抗が軽くなるので、ハンドル１９をさらに回転させて、スピンドル１８を完全に引上げる。完全に引き上げないと、開閉バルブ１６内の弁体（例えば、図示しないボール弁式の弁体）が、そのスピンドル１８又はその下端部に取り付けられている止水コマ１２等に引っ掛かり、閉弁できないので注意する。
（９）工具により、開閉バルブ１６の開閉操作部１６ｃを、図６に示す矢印の方向へ回転させてバルブを閉にする。
（１０）開閉バルブ１６から工具を使用してコマ取外し機１７を取外す。
【００１８】
（閉栓コマの取付け）
（１）図７（ａ）に示す閉栓コマ挿入機（スピンドル支持具）２０のスピンドル２１の下端部のねじ部２４ａに、図７（ｂ）（ｃ）に示す閉栓コマ２２の上部２２ａ外周のねじ部を手締めにてねじ込んで取付け、そのスピンドル２１を閉栓コマ挿入機２０に対して右回転させて、閉栓コマ２２を最上部まで引上げておく（図７（ａ）に示す状態）。スピンドル２１は、上端部から下端部に至る中空部２４を有しており、前記ねじ部２４ａは、その中空部２４の下端に設けられている。
（２）開閉バルブ１６に工具を使用して閉栓コマ挿入機２０をねじ込んで取付ける（図８参照）。
（３）工具により、開閉バルブ１６の開閉操作部１６ｃを、図８に示す矢印の方向へ回転させてバルブを開にする。
（４）スピンドル２１の上端部のハンドル２３を左回転させてスピンドル２１を降下させ、その下端部に取り付けた閉栓コマ２２を分水栓１０の下部に挿入する（図８から図９参照）。閉栓コマ２２が分水栓１０下部の下胴１０ｂに挿入されると、ハンドル２３を回す際の抵抗が大きくなって、その回転がある位置で止まるようになっている。
スピンドル２１には、閉栓コマ挿入量の目安となる目盛り（標線）２１ａ，２１ｂ，２１ｃが付されており（図７（ａ）、図８参照）、閉栓コマ２２の長さに応じてその目盛り（標線）２１ａ，２１ｂ，２１ｃを目安に挿入量を調整する。
この実施例では、例えば、閉栓コマ２２の長さが１３ｍｍの場合は、スピンドル２１を１本目の標栓２１ａまで下ろし、２０ｍｍの場合は２本目の標線２１ｂまで、２５ｍｍの場合は３本目の標線２１ｃまでとする。
（５）閉栓コマ２２が下胴１０ｂに挿入された状態において、スピンドル２１の中空部２４に、上端部から下端部に向かってＴ字形の閉栓コマ締付けハンドル２５を差込み（図１０（ａ）参照）、その閉栓コマ締付けハンドル２５の断面六角形の下端部２５ａを、図１０（ｂ）に示すように、前記閉栓コマ２２の上部２２ａに設けた六角穴２２ｂに嵌め込んでセットする。
（６）その閉栓コマ締付けハンドル２５を右回転させて、図１０（ｃ）に示すように、閉栓コマ２２のゴム部２２ｃを拡径させる。その拡径の度合いは、閉栓コマ２２が下胴１０ｂ内周との間で水密を維持し得る充分な強さで圧接するように注意する。
（７）開閉バルブ１６の横取出口１６ａに設けたコック付ナットのコック１６ｂを、図１１に示す矢印のように回転させて開にし、閉栓コマ２２によって水道管１の穿孔部２が完全に止水できているかを確認する。完全に止水できていない場合は、閉栓コマ締付けハンドル２５を更に増締めする。
（８）コック付ナット１６ｂのコックを閉にする。
（９）スピンドル２１の上端部より閉栓コマ締付けハンドル２５を抜く。このとき、閉栓コマ締付けハンドル２５を閉栓コマ２２から確実に抜き取っておく。次工程でスピンドル２１を引上げた際に、閉栓コマ２２が緩まないようにするためである。
（１０）ハンドル２３を右回転させて、スピンドル２１を最上部まで引上げた後、開閉バルブ１６から閉栓コマ挿入機２０を取外す（図１２参照）。
（１２）分水栓１０より開閉バルブ１６及びアダプタ１５を取外す（図１３参照）。
（１３）分水栓１０の下胴１０ｂから上胴１０ａを取外す（図１４参照）。
（１４）閉栓コマ２２の施工が完了。
【００１９】
次に、プラグ挿入機の施工手順について、図１５乃至図２３に基づいて説明する。これは、上記のごとく、水道管に残された使われなくなった下胴１０ｂを撤去する場合に、まず、その水道管１の穿孔部２から下胴１０ｂを取り外し、穿孔部２を止水プラグ５２により閉栓する施工手順を示したのである。
【００２０】
（甲形分水栓（下胴）の取外し）
（１）甲形分水栓１０の下胴１０ｂの外面をブラシで清掃する。下胴１０ｂは、上記工程で施工された閉栓コマ２２により止水されている。
（２）甲形分水栓１０周辺の管表面に付いている泥や異物をウエス等で十分清掃し、その表面に凹凸が無いように仕上げる。
（３）下胴１０ｂに引抜きプラグ３４をセットする（図１５参照）。
（４）六角レンチｒにて引抜きプラグ３４にビス３４ａを締付けてそのビス３４ａ先端を下胴１０ｂに圧接させ、その引抜きプラグ３４を下胴１０ｂから外れないように固定する。
（５）水道管１にサドル付分水栓（止水用部材）３０をセットし、その固定用のサドル３３をボルト３３ａ・ナット３３ｂで水道管１に締付ける（図１６参照）。この締付けには、トルクレンチを使用する（実施例では、締め付けトルクＴは、Ｍ１６の場合６０Ｎ−ｍ、またはＭ２０の場合７５Ｎ−ｍとする。）。
サドル付分水栓３０は、下胴１０ｂ周囲に筒状に立上がり、その一端３１全周が水道管１の外周面に水密に接し、他端３２が内部に収納された下胴１０ｂの上端よりも高くなっている。また、その他端３２は開口しており、その開口が、開閉バルブ３６により開閉自在である。
このサドル付分水栓３０を取り付ける際には、必ず開閉バルブ３６が全開の状態で取付けるようにする。また、サドル付分水栓３０は、その一端３１から他端３２に向かう流路の方向（前記筒軸方向）が水道管１に対して垂直になるように取付ける。
（６）サドル付分水栓３０に工具を使用して、アダプタ３５を取付ける（同じく図１６参照）。
（７）サドル付分水栓３０の他端３２に設けたアダプタ３５に手締めにて下胴取外し機（スピンドル支持具）４０を取付ける（図１７参照）。下胴取外し機４０は、軸状のスピンドル４１をサドル付分水栓３０の前記筒軸方向に進退自在に支持するとともに、外側から回転操作可能である。また、下胴取外し機４０は、サドル付分水栓３０のアダプタ３５に取り付けられた状態において前記他端３２を常に閉塞し、水漏れしないようになっている。
この、スピンドル４１を左回転させることにより、スピンドル４１は水道管１に向かって降下し、その先端４１ａを、図１７に示すように、前記引抜きプラグ３４上端のねじ部３４ｂにねじ込んでセットする。
（８）工具を使用して、アダプタ３５に下胴取外し機４０をしっかりと取付ける。
（９）スピンドル４１にハンドル４３をセットする。次に、ハンドル４３を左回転させて、水道管１から引抜きプラグ３４とともに下胴１０ｂを取外す（図１８参照）。この下胴１０ｂを水道管１より取外す際に、ハンドル４３の回転に過大な負荷がかかる場合はラチェットレンチを使用する。下胴１０ｂが水道管１の穿孔部２から外れると、ハンドル４３を回転させる抵抗が軽くなるので、さらに回転させてスピンドル４１を完全に引上げる。完全に引き上げないと、そのスピンドル４１や、取り外した下胴１０ｂが、開閉バルブ３６に引っ掛かり止水できないので注意する。
（１０）開閉バルブ３６の開閉操作部３６ｃを操作して、バルブを閉にする（同じく図１８参照）。
（１１）サドル付分水栓３０から工具を使用してアダプタ３５及び下胴取外し機４０を取外す。
【００２１】
（止水プラグの取付け）
（１）止水プラグ５２にシールテープｃを巻く（図１９（ｂ）参照）。
（２）図１９（ａ）（ｂ）に示すプラグ挿入機（スピンドル支持具）５０に設けた軸状のスピンドル５１の先端５１ａに設けた角部５３を、止水プラグ５２の嵌合孔５２ｃに嵌めて取付け、パッキン５２ｂを介してしっかりと固定する。そのスピンドル５１を左回転させて、止水プラグ５２を最上部位置まで引上げておく。
（３）サドル付分水栓３０に工具を使用してプラグ挿入機５０を取付ける（図１９（ａ）参照）。プラグ挿入機５０は、前記スピンドル５１をサドル付分水栓３０の筒軸方向に進退自在に支持するとともに外側から回転操作可能である。また、プラグ挿入機５０は、サドル付分水栓３０の他端３２に取り付けた状態において、その他端３２を常に水密に閉塞し水漏れしないようになっている。
（４）開閉バルブ３６の開閉操作部３６ｃを操作してバルブを開にする（同じく図１９（ａ）参照）。このとき、スピンドル５１は最上部まで引上げておく。
（５）スピンドル５１の上端部にハンドル５５を取り付け、そのハンドル５５をスピンドル５１とともに押し込んで、止水プラグ５２が水道管１の穿孔部２に当たるところで停止させる。このとき、スピンドル５１の先端角部５３は、止水プラグ５２の嵌合孔５２ｃに嵌っている（嵌合孔５２ｃは、図１９（ｂ）参照）ので、そのハンドル５５を右回転させれば、止水プラグ５２のねじ部５２ａが穿孔部２のねじ部にねじ込まれて固定される（図２０参照）。
このとき、止水プラグ５２には水圧が作用しているため、ハンドル５５の押込み中は、そのハンドル５５から手を離さないようにする。止水プラグ５２が穿孔部２のねじ部に挿入されるとハンドル５５を回転する操作が重たくなる。
（６）開閉バルブ３６のコック付ナットのコック３６ｂを開にして、完全に止水できているかどうかを確認する（図２０参照）。完全に止水できていない場合は、ハンドル５５を更に増締めする。
（７）コック付ナットのコック３６ｂを閉にする。
（８）サドル付分水栓３０からプラグ挿入機５０を取外す。
（９）水道管１より、サドル付分水栓３０を取外す。
（１０）止水プラグ５２に専用シャフト５６及びハンドル５７をセットし、そのハンドル５７を右回転させて、止水プラグ５２を増締めする。なお、止水プラグ５２はテーパネジであり、増し締めすることによりその止水効果も増す（図２１，２２参照）。
（１１）水道管１に保護用サドル５８をセットし、ボルト５８ａ及びナット５８ｂはトルクレンチを使用して締付ける。（Ｔ＝Ｍ１６：６０またはＭ２０：７５Ｎ−ｍ）
止水プラグ５２が保護用サドル５８の穴中心にくるように保護用サドル５８をセットし、ボルト５８ａ及びナット５８ｂを使用して締付ける。締付けトルクＴは、Ｍ１６の場合、６０Ｎ−ｍ、またはＭ２０の場合７５Ｎ−ｍとする。上記保護用サドル５８の止水プラグ５２を覆うようにキャップ５９を取付ける（図２３参照）。
（１２）施工完了。
【図面の簡単な説明】
【００２２】
【図１】一実施例を示し、分水栓のナットを取り外した状態を示す。
【図２】（ａ）は、図１の分水栓の止水コマを引き上げた後、止水コマにコマ回しを取り付けた状態を示し、（ｂ）は止水コマ、コマ回しの詳細を示す。
【図３】止水コマにアダプタ及び開閉バルブを取り付けた状態を示す。
【図４】図３に示す開閉バルブの上方にコマ取外し機を取り付けた状態を示す。
【図５】図４に示すコマ取外し機のスピンドルを引き上げた状態を示す。
【図６】図５に示すスピンドルを引き上げた状態において、開閉バルブを操作して閉にした状態を示す。
【図７】（ａ）は、閉栓コマ挿入機とスピンドル、及び閉栓コマの取付状態を示し、（ｂ）（ｃ）は閉栓コマの詳細を示す。
【図８】開閉バルブの上方に閉栓コマ挿入機を取り付けた状態を示す。
【図９】閉栓コマ挿入機のスピンドルを降下させた状態を示す。
【図１０】（ａ）は、図９に示すスピンドルに閉栓コマ締付けハンドルを挿入した状態を示し、（ｂ）（ｃ）は閉栓コマの拡径状態を示す詳細図。
【図１１】閉栓コマの拡径後、閉栓コマ締付けハンドルを引き上げる際の操作を示す。
【図１２】図１１に示す閉栓コマ挿入機を取り外した状態を示す。
【図１３】図１２に示す開閉バルブを取り外した状態を示す。
【図１４】図１３に示す上胴を取り外した状態を示す。
【図１５】下胴に引抜きプラグを取り付けた状態を示す。
【図１６】図１５に示す下胴周囲にサドル付分水栓（止水用部材）を取り付けた状態を示す。
【図１７】図１６に示すサドル付分水栓のアダプタに下胴取外し機を取り付けた状態を示す。
【図１８】図１７に示す下胴取外し機のスピンドルを回転させて引き上げた状態を示す。
【図１９】（ａ）は、サドル付分水栓にプラグ挿入機を取り付けた状態を示し、（ｂ）は、シールを施した止水用プラグとプラグ挿入機のスピンドル先端の詳細を示す。
【図２０】図１９に示すプラグ挿入機のスピンドルを降下させた状態を示す。
【図２１】図２０に示す開閉バルブからプラグ挿入機を取り外し、止水用プラグを増締めする状況を示す。
【図２２】止水用プラグの装着完了状態を示す。
【図２３】図２２に示す止水用プラグ周囲に保護用サドルを取り付けた状態を示す。
【符号の説明】
【００２３】
１  水道管
２  穿孔部
１０  分水栓
１０ａ  上胴
１０ｂ  下胴
１１，１４  ナット
１２  止水コマ
１３  コマ回し
１５，３５  アダプタ
１６，３６  開閉バルブ
１６ａ，３６ａ  横取出し口
１６ｂ，３６ｂ  コック（コック付ナット）
１６ｃ，３６ｃ  開閉操作部
１７  コマ取外し機（スピンドル支持具）
１８，２１，４１，５１  スピンドル
１９，２３，２５，４３，５５，５７  ハンドル
２０  閉栓コマ挿入機（スピンドル支持具）
２２  閉栓コマ
２２ｂ  角穴
２２ｃ  ゴム部
２４，５４  中空部
３０  サドル付分水栓（止水用部材）
３１  一端
３２  他端
３３  サドル
３３ａ，５８ａ  ボルト
３３ｂ，５８ｂ  ナット
３４  引抜きプラグ
４０  下胴取外し機（スピンドル支持具）
５０  プラグ挿入機（スピンドル支持具）
５２  止水プラグ
５２ａ  ねじ部
５２ｃ  嵌合孔
５３  スピンドル先端角部
５６  専用シャフト
５８  保護用サドル
５９  キャップ
【図１】
0004429223.tif 000002
【図２】
0004429223.tif 000003
【図３】
0004429223.tif 000004
【図４】
0004429223.tif 000005
【図５】
0004429223.tif 000006
【図６】
0004429223.tif 000007
【図７】
0004429223.tif 000008
【図８】
0004429223.tif 000009
【図９】
0004429223.tif 000010
【図１０】
0004429223.tif 000011
【図１１】
0004429223.tif 000012
【図１２】
0004429223.tif 000013
【図１３】
0004429223.tif 000014
【図１４】
0004429223.tif 000015
【図１５】
0004429223.tif 000016
【図１６】
0004429223.tif 000017
【図１７】
0004429223.tif 000018
【図１８】
0004429223.tif 000019
【図１９】
0004429223.tif 000020
【図２０】
0004429223.tif 000021
【図２１】
0004429223.tif 000022
【図２２】
0004429223.tif 000023
【図２３】
0004429223.tif 000024